【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
アクセサリに設けられた第１のマウントを着脱可能な第２のマウントを有するマウント装置であって、
前記マウント装置は、前記アクセサリに設けられた複数の爪部と係合が可能な複数のマウント爪部と、当該第２のマウントの周方向に沿って配され、前記アクセサリに設けられた複数の接点面との電気的な接続に用いる複数の接点ピンと、を有し、
前記第２のマウントは、前記複数のマウント爪部のそれぞれの間に前記第１のマウントに設けられた前記複数の爪部のそれぞれが挿入された第１の状態から、前記複数のマウント爪部のそれぞれが前記第１のマウントに設けられた前記複数の爪部のそれぞれと前記第２のマウントの中心軸と平行な方向で係合する第２の状態へと、前記第１のマウントに対して相対的に回転でき、
前記複数の接点ピンのそれぞれは、前記第２の状態において、対応する前記アクセサリに設けられた前記複数の接点面と電気的に接続され、
前記中心軸と平行な方向から前記第２のマウントを見て、前記複数のマウント爪部のそれぞれは、前記第２のマウントの前記周方向に沿った角度範囲に設けられており、前記複数のマウント爪部のうちの第１の爪部の少なくとも一部は、前記第１の状態における前記周方向において、前記複数の接点ピンのうちの第１の接点ピンと前記中心軸とを前記第２のマウントの径方向で結んだ第１の線と、前記複数の接点面のうちの第１の接点面と前記中心軸とを前記第２のマウントの径方向で結んだ第２の線とに挟まれる角度範囲に含まれ、
前記中心軸と平行な方向から前記第２のマウントを見て、前記第１の線上に前記第１の爪部が位置し、前記第１の状態において、前記第２の線上に前記第１の爪部に対応する前記アクセサリに設けられた爪部が位置し、前記複数の接点ピンは、前記第１の爪部と前記第２のマウントの径方向で重畳しない接点ピンを含み、
前記第１の接点ピンは、前記第２のマウントおよび前記第１のマウントを前記第１の状態から前記第２の状態に向けて相対的に回転させる際に、前記第１の接点面と最初に接触する接点ピンであることを特徴とするマウント装置。
【請求項２】
前記複数のマウント爪部のそれぞれは、前記第２のマウントおよび前記第１のマウントを前記第１の状態から前記第２の状態に向けて相対的に回転させる際に、前記複数の接点ピンと前記複数の接点面との何れも接触していない状態で、前記第１のマウントに設けられた対応する爪部との係合が開始されることを特徴とする請求項１に記載のマウント装置。
【請求項３】
前記複数のマウント爪部のそれぞれは、略同一のタイミングで前記第１のマウントに設けられた前記複数の爪部のそれぞれと係合を開始することを特徴とする請求項２に記載のマウント装置。
【請求項４】
前記複数の接点ピンは、前記第１の状態において、前記複数の接点面の何れとも接触していないことを特徴とする請求項１乃至３の何れか一項に記載のマウント装置。
【請求項５】
前記複数の接点ピンを保持する保持部を有し、
前記保持部は、前記中心軸と平行な方向において前記複数の接点ピンを保持する位置が異なる第１の段および第２の段を備えており、前記第２の状態で、前記第２の段は、前記第１の段よりも前記アクセサリ側に突出しており、
前記保持部の前記第１の段は、前記第２の段よりも保持する接点ピンの数が多いことを特徴とする請求項１乃至４の何れか一項に記載のマウント装置。
【請求項６】
前記第１の接点ピンは、前記保持部の前記第１の段に保持されていることを特徴とする請求項５に記載のマウント装置。
【請求項７】
前記第１の接点ピンは、前記保持部の前記第１の段において、前記マウント装置に対する前記アクセサリの装着方向の最も手前側に配されていることを特徴とする請求項６に記載のマウント装置。
【請求項８】
前記第１の接点ピンは、前記複数の接点ピンの何れかに対応するグランドレベルを示す接点であることを特徴とする請求項１乃至７の何れか一項に記載のマウント装置。
【請求項９】
前記第１の接点面は、前記マウント装置に前記アクセサリが装着されていることを検出するために用いる接点であることを特徴とする請求項１乃至８の何れか一項に記載のマウント装置。
【請求項１０】
前記複数のマウント爪部は、少なくとも２つのマウント爪部の前記周方向に占める角度範囲が異なることを特徴とする請求項１乃至９の何れか一項に記載のマウント装置。
【請求項１１】
前記マウント装置は、被写体を撮像可能な撮像素子を有する撮像装置であることを特徴とする請求項１乃至１０の何れか一項に記載のマウント装置。
【請求項１２】
前記マウント装置は、前記中心軸と平行な方向において、前記第２のマウントとは反対側に設けられた第３のマウントを有するアダプタ装置であって、
前記第３のマウントは、アダプタ装置を結合できる撮像装置に設けられた第４のマウントに着脱可能であることを特徴とする請求項１乃至１０の何れか一項に記載のマウント装置。
【請求項１３】
マウント装置に設けられた第１のマウントに着脱可能な第２のマウントを有するアクセサリであって、
前記アクセサリは、前記第１のマウントに設けられた複数の爪部と係合が可能な複数のマウント爪部と、当該第２のマウントの周方向に沿って配され、前記マウント装置に設けられた複数の接点ピンとの電気的な接続に用いる複数の接点面と、を有し、
前記第２のマウントは、前記複数のマウント爪部のそれぞれの間に前記第１のマウントに設けられた前記複数の爪部のそれぞれが挿入された第１の状態から、前記複数のマウント爪部のそれぞれが前記第１のマウントに設けられた前記複数の爪部のそれぞれと前記第２のマウントの中心軸と平行な方向で係合する第２の状態へと、前記第１のマウントに対して相対的に回転でき、
前記複数の接点面のそれぞれは、前記第２の状態において、対応する前記マウント装置に設けられた前記複数の接点ピンと電気的に接続され、
前記中心軸と平行な方向から前記第２のマウントを見て、前記複数のマウント爪部のそれぞれは、前記第２のマウントの前記周方向に沿った角度範囲に設けられており、前記複数のマウント爪部のうちの第１の爪部の少なくとも一部は、前記第１の状態における前記周方向において、前記複数の接点面のうちの第１の接点面と前記中心軸とを前記第２のマウントの径方向で結んだ第１の線と、前記複数の接点ピンのうちの第１の接点ピンと前記中心軸とを前記第２のマウントの径方向で結んだ第２の線とに挟まれる角度範囲に含まれ、
前記中心軸と平行な方向から前記第２のマウントを見て、前記第１の線上に前記第１の爪部が位置し、前記第１の状態において、前記第２の洗浄に前記第１の爪部に対応する前記マウント装置に設けられた爪部が位置し、前記マウント装置の前記複数の接点ピンは、前記第１の爪部に対応する前記マウント装置に設けられた爪部と前記第２のマウントの径方向で重畳しない接点ピンを含み、
前記第１の接点面は、前記第２のマウントおよび前記第１のマウントを前記第１の状態から前記第２の状態に向けて相対的に回転させる際に、前記第１の接点ピンと最初に接触する接点面であることを特徴とするアクセサリ。
【請求項１４】
前記複数のマウント爪部のそれぞれは、前記第２のマウントおよび前記第１のマウントを前記第１の状態から前記第２の状態に向けて相対的に回転させる際に、前記複数の接点面と前記複数の接点ピンとの何れも接触していない状態で、前記第１のマウントに設けられた対応する爪部との係合が開始されることを特徴とする請求項１３に記載のアクセサリ。
【請求項１５】
前記複数のマウント爪部のそれぞれは、略同一のタイミングで前記第１のマウントに設けられた前記複数の爪部のそれぞれと係合を開始することを特徴とする請求項１４に記載のアクセサリ。
【請求項１６】
前記複数の接点面は、前記第１の状態において、前記複数の接点ピンの何れとも接触していないことを特徴とする請求項１３乃至１５の何れか一項に記載のアクセサリ。
【請求項１７】
前記複数の接点面を保持する保持部を有し、
前記保持部は、前記中心軸と平行な方向において前記複数の接点面を保持する位置が異なる第１の段および第２の段を備えており、前記第２の状態で、前記第１の段は、前記第２の段よりも前記マウント装置側に突出しており、
前記保持部の前記第１の段は、前記第２の段よりも保持する接点面の数が多いことを特徴とする請求項１３乃至１６の何れか一項に記載のアクセサリ。
【請求項１８】
前記第１の接点面は、前記保持部の前記第１の段に保持されていることを特徴とする請求項１７に記載のアクセサリ。
【請求項１９】
前記第１の接点面は、前記保持部の前記第１の段において、前記マウント装置に対する前記アクセサリの装着方向の最も手前側に配されていることを特徴とする請求項１８に記載のアクセサリ。
【請求項２０】
前記第１の接点ピンは、前記複数の接点ピンの何れかに対応するグランドレベルを示す接点であることを特徴とする請求項１３乃至１９の何れか一項に記載のアクセサリ。
【請求項２１】
前記第１の接点面は、前記マウント装置に前記アクセサリが装着されていることを検出するために用いる接点であることを特徴とする請求項１３乃至２０の何れか一項に記載のアクセサリ。
【請求項２２】
前記複数のマウント爪部は、少なくとも２つのマウント爪部の前記周方向における角度範囲が異なることを特徴とする請求項１３乃至２１の何れか一項に記載のアクセサリ。
【請求項２３】
前記マウント装置は、撮像装置であって、
前記アクセサリは、前記マウント装置に着脱可能な交換レンズであることを特徴とする請求項１３乃至２２の何れか一項に記載のアクセサリ。
【請求項２４】
前記マウント装置は、撮像装置であって、
前記アクセサリは、前記マウント装置に着脱可能なアダプタ装置であることを特徴とする請求項１３乃至２２の何れか一項に記載のアクセサリ。
【手続補正２】
【補正対象書類名】明細書
【補正対象項目名】発明の名称
【補正方法】変更
【補正の内容】
【発明の名称】マウント装置およびアクセサリ
【手続補正３】
【補正対象書類名】明細書
【補正対象項目名】０００１
【補正方法】変更
【補正の内容】
【０００１】
本発明は、マウント装置およびアクセサリに関する。
【手続補正４】
【補正対象書類名】明細書
【補正対象項目名】０００９
【補正方法】変更
【補正の内容】
【０００９】
本発明の目的は、互いに係合可能な関係のマウントを備えた撮像装置などのマウント装置およびアクセサリの接点の摩耗を低減することである。
【手続補正５】
【補正対象書類名】明細書
【補正対象項目名】００１０
【補正方法】変更
【補正の内容】
【００１０】
上記目的を達成するために、本発明のマウント装置は、アクセサリに設けられた第１のマウントを着脱可能な第２のマウントを有するマウント装置であって、前記マウント装置は、前記アクセサリに設けられた複数の爪部と係合が可能な複数のマウント爪部と、当該第２のマウントの周方向に沿って配され、前記アクセサリに設けられた複数の接点面との電気的な接続に用いる複数の接点ピンと、を有し、前記第２のマウントは、前記複数のマウント爪部のそれぞれの間に前記第１のマウントに設けられた前記複数の爪部のそれぞれが挿入された第１の状態から、前記複数のマウント爪部のそれぞれが前記第１のマウントに設けられた前記複数の爪部のそれぞれと前記第２のマウントの中心軸と平行な方向で係合する第２の状態へと、前記第１のマウントに対して相対的に回転でき、前記複数の接点ピンのそれぞれは、前記第２の状態において、対応する前記アクセサリに設けられた前記複数の接点面と電気的に接続され、前記中心軸と平行な方向から前記第２のマウントを見て、前記複数のマウント爪部のそれぞれは、前記第２のマウントの前記周方向に沿った角度範囲に設けられており、前記複数のマウント爪部のうちの第１の爪部の少なくとも一部は、前記第１の状態における前記周方向において、前記複数の接点ピンのうちの第１の接点ピンと前記中心軸とを前記第２のマウントの径方向で結んだ第１の線と、前記複数の接点面のうちの第１の接点面と前記中心軸とを前記第２のマウントの径方向で結んだ第２の線とに挟まれる角度範囲に含まれ、前記中心軸と平行な方向から前記第２のマウントを見て、前記第１の線上に前記第１の爪部が位置し、前記第１の状態において、前記第２の線上に前記第１の爪部に対応する前記アクセサリに設けられた爪部が位置し、前記複数の接点ピンは、前記第１の爪部と前記第２のマウントの径方向で重畳しない接点ピンを含み、前記第１の接点ピンは、前記第２のマウントおよび前記第１のマウントを前記第１の状態から前記第２の状態に向けて相対的に回転させる際に、前記第１の接点面と最初に接触する接点ピンであることを特徴とする。
【手続補正６】
【補正対象書類名】明細書
【補正対象項目名】００１１
【補正方法】変更
【補正の内容】
【００１１】
本発明によれば、互いに係合可能な関係のマウントを備えた撮像装置などのマウント装置およびアクセサリの接点の摩耗を低減することができる。